(57)【要約】【課題】光学機能面を保護するための保護フィルムの取り外しに際して光学機能面の保護性を高めることを可能にした光学部品包装体を提供する。【解決手段】第１面を有する第１保護フィルム１１と、第１面と対向する第２面を有する第２保護フィルム２１と、第１面と第２面とに挟まれる光学部品３１と、第１面と第２面とに挟まれるスペーサ１２とを備え、スペーサ１２は、第１面と第２面との両方に貼り付けられ、かつ、第１面に沿った少なくとも１つの方向において光学部品３１を挟む。【選択図】図１
2016141473.tif 000002
【特許請求の範囲】
【請求項１】
第１面を有する第１保護フィルムと、
前記第１面と対向する第２面を有する第２保護フィルムと、
光学機能面を有し、前記第１面と前記第２面とに挟まれる光学部品と、
前記第１面と前記第２面とに挟まれるスペーサとを備え、
前記スペーサは、
前記第１面と前記第２面との両方に貼り付けられ、かつ、
前記第１面に沿った少なくとも１つの方向において前記光学部品を挟む
光学部品包装体。
【請求項２】
前記スペーサの厚みは、前記光学部品の厚みの０．５倍以上１．５倍以下である
請求項１に記載の光学部品包装体。
【請求項３】
複数の前記光学部品を備え、
前記第１保護フィルム、前記第２保護フィルム、および、スペーサの各々は、共通する一つの方向に沿って延びる形状を有し、
前記複数の前記光学部品は、前記一つの方向に沿って並んでいる
請求項１または２に記載の光学部品包装体。
【請求項４】
前記一つの方向において互いに隣り合う２つの前記光学部品の間において、前記第１面は、前記第２面に貼り付けられた部分を含む
請求項３に記載の光学部品包装体。
【請求項５】
前記スペーサは、前記光学部品を挟持する挟持部を備える
請求項１から４のいずれか１項に記載の光学部品包装体。
【請求項６】
前記第１保護フィルム、および、前記第２保護フィルムの少なくとも一方は、透明フィルムであり、
前記スペーサは、光学部品包装体の取り扱いに関する指標を有し、
前記指標は、前記スペーサの表面のなかで前記透明フィルムと対向する部位に配置されている
請求項１から５のいずれか１項に記載の光学部品包装体。
【請求項７】
前記指標は、前記光学部品の型番、および、前記光学部品の製造ロットの少なくとも一方を示す印刷物である
請求項６に記載の光学部品包装体。
【発明の詳細な説明】
【技術分野】
【０００１】
本発明は、光学機能面を有した光学部品と、光学機能面を保護する保護フィルムとを備える光学部品包装体に関する。
【背景技術】
【０００２】
上述した光学部品包装体の備える光学部品は、光学機能面に、例えば微細凹凸構造が形成された凹凸部と、微細凹凸構造が形成されていない非凹凸部とを有する。
従来の光学部品包装体が備える保護フィルムは、微細凹凸構造を覆い、かつ、光学機能面において微細凹凸構造が形成されていない非凹凸部に貼り付けられている（例えば、特許文献１から３参照）。非凹凸部に貼り付けられる保護フィルムは、光学部品包装体の搬送時や保管時には剥がれない一方で、光学部品の利用時には容易に剥がれることが求められる。そのため、上述した光学部品包装体においては、凹凸部に対する保護フィルムの密着強度を、非凹凸部に対する保護フィルムの密着強度よりも小さく設定する技術が提案されている。
【先行技術文献】
【特許文献】
【０００３】
【特許文献１】特開２０１０−１０７８５８号公報
【特許文献２】特開２０１０−１２０３４８号公報
【特許文献３】特開２０１３−１３０８９５号公報
【発明の概要】
【発明が解決しようとする課題】
【０００４】
しかしながら、光学部品の光学機能面においては、凹凸部と非凹凸部とが隣り合うため、非凹凸部から保護フィルムが剥がされる際に、保護フィルムを把持する利用者の指などが凹凸に触れ、凹凸部の有する光学機能を低下させる場合がある。それゆえに、上述した光学部品包装体においては、光学機能面を保護するための保護フィルムの取り外しに際して光学機能面の保護性を高めることが望まれている。
【０００５】
本発明は、光学機能面を保護するための保護フィルムの取り外しに際して光学機能面の保護性を高めることを可能にした光学部品包装体を提供することを目的とする。
【課題を解決するための手段】
【０００６】
上記課題を解決するために、光学部品包装体は、第１面を有する第１保護フィルムと、前記第１面と対向する第２面を有する第２保護フィルムと、光学機能面を有し、前記第１面と前記第２面とに挟まれる光学部品と、前記第１面と前記第２面とに挟まれるスペーサとを備える。そして、前記スペーサは、前記第１面と前記第２面との両方に貼り付けられ、かつ、前記第１面に沿った少なくとも１つの方向において前記光学部品を挟む。
上記光学部品包装体において、前記スペーサの厚みは、前記光学部品の厚みの０．５倍以上１．５倍以下であってもよい。
【０００７】
上記光学部品包装体は、複数の前記光学部品を備え、前記第１保護フィルム、前記第２保護フィルム、および、スペーサの各々は、共通する一つの方向に沿って延びる形状を有してもよい。この際に、前記複数の前記光学部品は、前記一つの方向に沿って並んでいることが好ましい。
【０００８】
上記光学部品包装体は、前記一つの方向において互いに隣り合う２つの前記光学部品の間において、前記第１面が、前記第２面に貼り付けられた部分を含んでもよい。
上記光学部品包装体において、前記スペーサは、前記光学部品を挟持する挟持部を備えてもよい。
【０００９】
上記光学部品包装体において、前記第１保護フィルム、および、前記第２保護フィルムの少なくとも一方は、透明フィルムであり、前記スペーサは、光学部品包装体の取り扱いに関する指標を有し、前記指標は、前記スペーサの表面のなかで前記透明フィルムと対向する部位に配置されてもよい。
上記光学部品包装体において、前記指標は、前記光学部品の型番、および、前記光学部品の製造ロットの少なくとも一方を示す印刷物であってもよい。
【発明の効果】
【００１０】
本発明の光学部品包装体によれば、光学機能面を保護するための保護フィルムの取り外しに際して光学機能面の保護性を高められる。
【図面の簡単な説明】
【００１１】
【図１】図１は、光学部品包装体の一実施形態における光学部品包装体の斜視構造を示す斜視図であって、第１保護フィルムと第２保護フィルムとを互いに離して示す光学部品包装体の分解斜視図である。
【図２】図２は、一実施形態における光学部品包装体の断面構造を示す断面図である。
【発明を実施するための形態】
【００１２】
図１、および、図２を参照して一実施形態における光学部品包装体を説明する。
図１が示すように、光学部品包装体は、第１保護フィルム１１と、スペーサ１２と、第２保護フィルム２１と、光学部品３１とを備えている。光学部品３１は、例えば、円盤形状を有し、表面には光学機能面を備えている。第１保護フィルム１１、および、第２保護フィルム２１は、光学部品３１を保護する機能を有している。
【００１３】
第１保護フィルム１１は、一つの方向である長さ方向に沿って延びる帯形状を有している。第１保護フィルム１１が有する１つの面は、第１面であり、スペーサ１２が貼り付けられる面である。また、第１保護フィルム１１における第１面は、光学部品３１が載置される面としても機能する。
【００１４】
第１保護フィルム１１の載置面には、３本のスペーサ１２の底面が貼り付けられている。また、第１保護フィルム１１の載置面には、長軸方向に沿って並ぶ３つの光学部品３１が、幅方向に沿って２列に載置されている。
【００１５】
第１保護フィルム１１における第１面のなかで、光学部品３１に対する長さ方向の両端には、幅方向に沿って延びる直線形状を有した貼り合せ部１２Ｔが形成されている。第１保護フィルム１１の第１面には、長さ方向に沿って並ぶ３つの光学部品３１が、幅方向に沿って２列に載置され、また、長さ方向に沿って並ぶ４本の貼り合せ部１２Ｔが、幅方向に沿って２列形成されている。
【００１６】
３本のスペーサ１２の各々は、長さ方向に沿って延びる柱形状を有し、長さ方向と直交する幅方向に沿って等間隔を空けて、第１保護フィルム１１に貼り付けられている。３つのスペーサ１２は、幅方向において光学部品３１を挟むとともに、第１保護フィルム１１の載置面に粘着剤などを介して固定されている。幅方向において互いに隣り合う２つのスペーサ１２の間の距離は、幅方向における光学部品３１の有する距離と略等しい。
【００１７】
３つのスペーサ１２のなかで幅方向の両端に位置する２つのスペーサ１２は、これらが互いに向い合う方向に向けて突き出た挟持部１２Ａを備えている。これら幅方向の両端に位置するスペーサ１２は、１つの光学部品３１に対して２つずつ挟持部１２Ａを備えている。３つのスペーサ１２のなかで幅方向の中央に位置する１つのスペーサ１２もまた、幅方向に沿って突き出た挟持部１２Ａを備えている。幅方向の中央に位置するスペーサ１２もまた、１つの光学部品３１に対して２つずつ挟持部１２Ａを備えている。
【００１８】
言い換えれば、光学部品包装体に含まれる６つの光学部品３１の各々は、幅方向においては互いに隣り合う２つのスペーサ１２に挟まれ、かつ、長さ方向においては互いに隣り合う２つの挟持部１２Ａに挟持されている。そして、光学部品包装体に含まれる６つの光学部品３１の各々は、幅方向に沿って互いに隣り合う２つのスペーサ１２によって、幅方向と長さ方向との両方で位置決めされている。
【００１９】
第２保護フィルム２１は、透明フィルムであり、第１保護フィルム１１と同じく、長さ方向に沿って延びる帯形状を有している。第２保護フィルム２１が有する面であって、第１保護フィルム１１の第１面と対向する面は、第２面である。第２保護フィルム２１の第２面には、上述した３本のスペーサ１２の頂面が貼り付けられている。また、第２保護フィルム２１における第２面のなかで、上述した貼り合せ部１２Ｔと対向する部位には、これもまた幅方向に沿って延びる直線形状を有した貼り合せ部２１Ｔが形成されている。
【００２０】
第１保護フィルム１１の貼り合せ部１２Ｔと、第２保護フィルム２１の貼り合せ部２１Ｔとは、互いに貼り合わされている。貼り合せ部１２Ｔ，２１Ｔ同士の貼り合せは、接着層を介した接着であってもよいし、フィルム同士の溶着であってもよい。
【００２１】
こうした貼り合せ部１２Ｔ，２１Ｔ同士の貼り合せによれば、６つの光学部品３１の各々の周囲が、スペーサ１２と貼り合せ部１２Ｔ，２１Ｔによって囲まれる。それゆえに、６つの光学部品３１の各々に対する封止性が高められる。
【００２２】
３つのスペーサ１２の各々が有する面のなかで第２保護フィルム２１と対向する頂面には、光学部品包装体の取り扱いに関する指標が付されている。光学部品包装体の取り扱いに関する指標は、例えば、印刷物や刻削物であって、光学部品３１の取り扱い時に用いられる指標を含む。
【００２３】
光学部品３１の取り扱い時に用いられる指標は、例えば、光学部品３１のなかで光の入射位置として推奨される部位などを示す矢印である。光学部品包装体の取り扱いに関する指標は、光学部品３１の取り扱い時に用いられる指標の他、光学部品包装体の搬送時や保管時に用いられる指標を含む。光学部品包装体の搬送時や保管時に用いられる指標は、例えば、光学部品３１の型番、および、光学部品の製造ロットの少なくとも一方を示す数字や文字である。２つのスペーサ１２の各々に付された指標は、第２保護フィルム２１を通じ、光学部品包装体に対する外部から視認される。
【００２４】
図２が示すように、３つのスペーサ１２の各々が有する厚みは、スペーサ厚さ１２Ｈであり、スペーサ厚さ１２Ｈは、上述した光学部品３１の厚さである部品厚さ３１Ｈよりも大きい。第１保護フィルム１１と第２保護フィルム２１とは、３つのスペーサ１２に支持され、第１保護フィルム１１と第２保護フィルム２１との間には、スペーサ厚さ１２Ｈを有する隙間が形成されている。
【００２５】
第１保護フィルム１１と第２保護フィルム２１との間の隙間は、スペーサ１２による第１保護フィルム１１の支持と、スペーサ１２による第２保護フィルム２１の支持とによって、スペーサ厚さ１２Ｈに保たれている。例えば、光学部品３１における光学機能面が第２保護フィルム２１と対向するとき、第２保護フィルム２１は、スペーサ厚さ１２Ｈと部品の厚さとの差に相当する隙間を空けて、光学機能面から離れている。
【００２６】
なお、第１保護フィルム１１と第２保護フィルム２１との間の隙間の保持は、スペーサ１２による各フィルムの支持に加え、第１保護フィルム１１が有する剛性や第２保護フィルム２１が有する剛性、言い換えれば、各フィルムが有する形状の保持能、あるいは、第１保護フィルム１１と第２保護フィルム２１との間に封入された空気等の気体による第１保護フィルム１１と第２保護フィルム２１に対する圧力によって実現されてもよい。
【００２７】
上述した構成であれば、第１保護フィルム１１がスペーサ１２から剥がされる、あるいは、第２保護フィルム２１がスペーサ１２から剥がされることによって、一方のフィルム上に載置された状態で６つの光学部品が外部に曝される。言い換えれば、第１保護フィルム１１がスペーサ１２から剥がされる、あるいは、第２保護フィルム２１がスペーサ１２から剥がされることによって、利用者の指などが光学機能面に接触することなく、光学部品３１が包装体から取り出し可能となる。それゆえに、光学機能面を保護するためのフィルムの取り外しに際して光学機能面の保護性が高められる。
【００２８】
光学部品３１が有する光学機能面は、光学部品３１の表面に形成される光学構造によって光学的な機能を発現させる面である。光学部品３１が有する光学機能面は、第１保護フィルム１１と対向する面であってもよいし、第２保護フィルム２１と対向する面であってもよいし、これらの両方であってもよい。光学構造が発現させる光学的な機能には、例えば、光の反射を抑える反射防止機能、光を散乱させる散乱機能、および、光を回折させる回折機能のなかの少なくとも１つが挙げられる。
【００２９】
光学構造は、例えば、複数の凸部、あるいは、複数の凹部が周期的に繰り返される周期構造体であってもよいし、複数の凸部、あるいは、複数の凹部が無秩序に並ぶ非周期構造体であってもよい。周期構造体は、例えば、モスアイ（登録商標）構造、あるいは、プラズモニック構造である。
【００３０】
光学構造が備える凸部は、例えば、円錐形状、角錐形状、線状突条、および、格子突条である。光学構造が備える凹部は、例えば、円錐孔、角錐孔、線状溝、および、格子状溝である。
【００３１】
反射防止機能を有する光学構造において凸部の平均間隔、あるいは、凹部の平均間隔は、例えば、光学部品３１の使用環境下における光の波長以下である。例えば、反射防止の対象が可視光であるとき、凸部の平均間隔、あるいは、凹部の平均間隔は、可視光の波長以下である。こうした構造を有する光学構造であれば、空気の屈折率から光学部品３１を構成する材料の屈折率にまで、連続的に屈折率が増えることによる有効な反射抑制の機能が発現される。光学構造において凸部の平均間隔は、数μｍ以下が好ましく、５５０ｎｍ以下がより好ましく、３００ｎｍ以下がさらに好ましい。
【００３２】
光学構造における凸部の平均間隔、光学構造における凹部の平均間隔、光学構造における凸部あるいは凹部の並びは、例えば、フーリエ変換像に基づいて定められる。フーリエ変換像は、光学機能面の二次元画像である原画像から二次元の高速フーリエ変換を通じて得られる。光学機能面の原画像は、光学機能面に対向する平面視から得られる画像であって、光学機能面の広がる二次元の座標系において段差の大きさを輝度などによって示す画像である。光学機能面の二次元画像である原画像は、光学機能面と対向する平面視において、例えば、原子間力顕微鏡による測定、走査型電子顕微鏡による測定、接触式段差計による測定などによって得られる。
【００３３】
上述した画像処理に用いられる原画像は、光学機能面の一部である任意に選択される矩形部分を示す。高速フーリエ変換を用いた原画像の波形分離によれば、原画像に基づくフーリエ変換像が得られ、フーリエ変換像における０次ピークと１次ピークとの間の距離が求められる。０次ピークと１次ピークとの間の距離の逆数は、一つの矩形部分において、凸部の平均間隔、あるいは、凹部の平均間隔として取り扱われる。
【００３４】
光学部品３１が有する厚みは、例えば、０．５ｍｍ以上１０ｍｍ以下であり、光学部品３１が有する引張り弾性率は、例えば、０．３ＧＰａ以上であり、より好ましくは、１．０ＧＰａ以上である。なお、光学部品３１が有する厚みや光学部品３１が有する引張り弾性率は、２つのスペーサ１２によって光学部品３１が挟まれることによって光学部品３１が機械的に変形しない範囲である。
【００３５】
光学部品３１を形成する材料は、光学機能面において光学的な機能を発現する材料であれば特に限定されない。散乱機能や回折機能が求められる光学部品３１においては、光透過性の高い材料が好ましく、JIS K 7361-1 で規定された全光線透過率が８５％以上の材料を用いることが好ましい。光透過性の高い材料には、ポリカーボネート系樹脂、ポリテトラフルオロエチレンやポリクロロトリフルオロエチレンなどのフッ素系樹脂、ポリエチレン系樹脂やポリプロピレン系樹脂やシクロポリオレフィン系樹脂を含むポリオレフィン系樹脂、ポリ塩化ビニル系樹脂、ポリエチレンテレフタレート系樹脂やポリエチレンテレフタレート系樹脂を含むポリエステル系樹脂、ポリビニルアルコール系樹脂、アクリル系樹脂、スチレン−アクリル共重合体、スチレン−アクリロニトリル共重合体、ウレタン系樹脂、エポキシ系樹脂、ポリエーテルスルホン系樹脂、ポリスルフォン系樹脂などの樹脂、ガラスなどが挙げられる。
【００３６】
第１保護フィルム１１が有する厚みは、例えば、１μｍ以上０．３ｍｍ以下である。第１保護フィルム１１が有する厚みや第１保護フィルム１１が有する引張り弾性率は、スペーサ１２に機械的な変形を与えない範囲内であることが好ましい。
【００３７】
第２保護フィルム２１が有する厚みは、例えば、１μｍ以上０．３ｍｍ以下である。第２保護フィルム２１が有する厚みや第２保護フィルム２１が有する引張り弾性率もまた、スペーサ１２に機械的な変形を与えない範囲内であることが好ましい。
【００３８】
第１保護フィルム１１を形成する材料は、光学部品３１を保護する機能を発現する材料であれば特に限定されない。第２保護フィルム２１を形成する材料は、これもまた光学部品３１を保護する機能を発現する材料であれば特に限定されない。
【００３９】
第１保護フィルム１１や第２保護フィルム２１を形成する材料には、例えば、ポリエチレン系樹脂やポリプロピレン系樹脂やシクロポリオレフィン系樹脂を含むポリオレフィン系樹脂、ポリエチレンテレフタレート系樹脂やポリエチレンナフタレート系樹脂を含むポリエステル系樹脂、ポリカーボネート系樹脂、ポリビニルアルコール系樹脂、ポリ塩化ビニル系樹脂、ナイロン系樹脂、ポリスチレン系樹脂、ポリアセチルアセテート系樹脂など挙げられる。なお、第１保護フィルム１１には、シリカなどの公知のアンチブロッキング剤、酸化防止剤、可塑剤、潤剤、帯電防止剤が配合されてもよい。
【００４０】
第１保護フィルム１１にスペーサ１２を貼り付ける粘着剤、および、第２保護フィルム２１にスペーサ１２を貼り付ける粘着剤には、例えば、エチレン酢酸ビニル共重合体系樹脂、ポリエステル系樹脂、アセテート系樹脂、ポリエーテルサルホン系樹脂、ポリカーボネート系樹脂、ポリアミド系樹脂、ポリイミド系樹脂、ポリオレフィン系樹脂、アクリル系樹脂が挙げられる。なお、こうした貼り付け剤には、第１保護フィルム１１とスペーサ１２とを接着する機能、および、第２保護フィルム２１とスペーサ１２とを接着する機能を有する範囲において、上述した粘着剤以外の任意成分が含まれていてもよい。
【００４１】
スペーサ１２は、例えば、ポリウレタン系樹脂やポリオレフィン系樹脂などから形成される多孔質構造体である。また、スペーサ１２は、例えば、ウレタンゴム、天然ゴム、シリコンゴム、フッ素ゴムなどから形成されるゴム製構造体、ポリオレフィン系樹脂、アクリル系樹脂、ポリカーボネート系樹脂などから形成されるプラスチック製構造体、紙、合成紙、不織布である。
【００４２】
以上、上記一実施形態によれば以下に列記する効果が得られる。
（１）第１保護フィルム１１がスペーサ１２から剥がされる、あるいは、第２保護フィルム２１がスペーサ１２から剥がされることによって、光学部品３１が包装体から取り出し可能となる。光学機能面を保護するためのフィルムの取り外しに際して光学機能面の保護性が高まる。
【００４３】
（２）光学部品３１を挟むように２つのスペーサ１２が配置されるため、第１保護フィルム１１や第２保護フィルム２１に対する光学部品３１の位置のずれが抑えられる。
【００４４】
（３）第２保護フィルム２１と光学機能面とが対向するとき、第２保護フィルム２１と光学機能面との間には、隙間が形成されている。そのため、第２保護フィルム２１が光学機能面に擦れること、ひいては、光学機能面が有する光学的な機能を低下させることが抑えられる。
（４）光学部品包装体の長さ方向に沿って光学部品３１が並べられるため、１つの光学部品包装体に含められる光学部品３１の個数を増やすことが容易である。
【００４５】
（５）光学部品３１の収容される空間は、長さ方向に沿って並ぶ貼り合せ部１２Ｔ，２１Ｔによって区画されている。それゆえに、光学部品包装体の長さ方向に沿って複数の光学部品３１が並ぶ構成においては、光学部品３１を１つずつ取り出すことに適している。
【００４６】
（６）幅方向において隣り合う２つのスペーサの各々には、互いに向い合う方向に突き出た挟持部１２Ａが、長さ方向において光学部品３１を挟むように配置されている。こうした構成であれば、複数の光学部品３１の各々が、幅方向においては２つのスペーサ１２に挟まれ、長さ方向においては２つの挟持部１２Ａによって挟まれる。結果として、複数の光学部品３１の各々が、長さ方向と幅方向との両方において位置決めされるため、光学部品包装体の搬送時や光学部品３１の取り出し時において、光学部品３１の保護性が高まる。
【００４７】
（７）第１保護フィルム１１と第２保護フィルム２１との間に形成される隙間の大きさがスペーサ１２によって定められる。そのため、第１保護フィルム１１と第２保護フィルム２１との間の隙間の大きさの再現性が、光学部品包装体間において高まる。
【００４８】
（８）第２保護フィルム２１がスペーサ１２から剥がされる前に、第２保護フィルム２１を通じて、光学部品包装体の取り扱いに関する指標が視認される。それゆえに、光学部品包装体に対する誤った取り扱いは、第２保護フィルム２１がスペーサ１２から剥がされる前に抑えられる。
【００４９】
（９）第２保護フィルム２１がスペーサ１２から外される前に、光学部品３１の型番、および、光学部品３１の製造ロットの少なくとも一方が、これらを読み取る機器や利用者によって把握される。
【００５０】
なお、上記各実施形態は以下のように変更して実施することができる。
［光学部品３１］
・光学部品３１は、円盤形状に限らず、矩形の板形状、円形の板形状、回転楕円体形状のような回転体形状であってもよい。また、光学部品３１は、光学機能面を有するフィルムと、そのフィルムを支持する基板とから構成される積層体であってもよい。要は、光学部品３１は、光学機能面を備える構造体であればよい。
・光学部品３１の有する光学機能面は、曲面形状に限らず、例えば、平面形状であってもよいし、平面形状と曲面形状との組み合わせであってもよい。
【００５１】
・光学機能面は、光学構造を有していればよく、光学構造が光学機能面の縁の一部にまで広がっていてもよいし、光学構造が光学機能面の全体に広がっていてもよい。
【００５２】
［第１保護フィルム１１］
・第１保護フィルム１１と第２保護フィルム２１との間の距離であるスペーサ厚さ１２Ｈは、部品厚さ３１Ｈよりも小さくてもよく、例えば、第２保護フィルム２１において光学機能面と対向する面と、光学機能面とは、ほぼ面一であってもよい。なお、光学部品における光学機能面の保護性や、光学部品自体の形状の保護性を確保するうえでは、スペーサ厚さ１２Ｈが部品厚さ３１Ｈの０．５倍以上であることが好ましい。また、光学部品包装体の有する厚みが大幅に大きくなることを抑える観点では、スペーサ厚さ１２Ｈが部品厚さ３１Ｈの１．５倍以下であることが好ましい。
【００５３】
・第１保護フィルム１１は、光を透過する光透過性を有していてもよいし、光を遮光する遮光性を有していてもよい。また、第１保護フィルム１１は、水分などを透過するガス透過性を有していてもよいし、水分などを遮断するガスバリア性を有していてもよい。これら第１保護フィルム１１が備える保護機能以外の機能は、光学部品３１に適した範囲の中から適宜選択されるものである。
【００５４】
［第２保護フィルム２１］
・第１保護フィルム１１、および、第２保護フィルム２１からは、第１貼り合せ部１２Ｔと第２貼り合せ部２１Ｔとが共に割愛されてもよい。また、貼り合せ部１２Ｔ，２１Ｔの数は、光学部品３１の周方向において３箇所以上であってもよい。
【００５５】
なお、光学構造におけるほぼ周方向の全体にわたって貼り合せ部１２Ｔ，２１Ｔが設定される構成であれば、光学部品３１が外部からの異物によって汚染されることがさらに抑えられる。一方で、貼り合せ部１２Ｔ，２１Ｔが長手方向でのみ光学部品３１を挟む構成であれば、光学部品包装体の製造に要する手間が軽減される。
【００５６】
・第１保護フィルム１１が透明フィルムであってもよく、また、第１保護フィルム１１と第２保護フィルム２１との両方が透明フィルムであってもよい。なお、第１保護フィルム１１が透明フィルムである構成においては、スペーサ１２の有する底面に、光学部品包装体の取り扱いに関する指標を有することが好ましい。
【００５７】
・第２保護フィルム２１は、光を透過する光透過性を有していてもよいし、光を遮光する遮光性を有していてもよい。また、第２保護フィルム２１は、水分などを透過するガス透過性を有していてもよいし、水分などを遮断するガスバリア性を有していてもよい。これら第２保護フィルム２１が備える保護機能以外の機能は、光学部品３１に適した範囲の中から適宜選択されるものである。
【００５８】
［スペーサ１２］
・スペーサ１２は、長さ方向において光学部品３１の全体にわたる長さを有した一つの構造体に限らず、例えば、長さ方向に沿って並ぶ複数の構造体から構成されてもよい。スペーサ１２を構成する構造体の形状には、例えば、直方体形状、錘台形状、半球状体形状が用いられる。
【００５９】
・スペーサ１２から指標が割愛されてもよい。この際に、例えば、スペーサ１２の有する形状は、それ自身が指標として機能する形状であってもよい。スペーサ１２から挟持部１２Ａが割愛されてもよい。挟持部１２Ａが割愛される構成であっても、互いに隣り合う２つのスペーサ１２と、互いに隣り合う２つの貼り合せ部１２Ｔ，２１Ｔによって、１つの光学部品３１を収容する空間は区切られる。
【００６０】
・スペーサ１２の配置される位置は、例えば、光学部品３１の周囲における二箇所であってもよいし、三箇所以上であってもよいし、光学部品３１の周囲の全体であってもよい。
【００６１】
・スペーサ１２の有するスペーサ厚さ１２Ｈは、部品厚さ３１Ｈ以下であってもよい。こうした構成であっても、第１保護フィルム１１や第２保護フィルム２１に対する光学部品３１の位置のずれは、光学部品３１を挟むスペーサ１２によって抑えられる。
【００６２】
・スペーサ１２は、それの一部において粘着剤を介して第１保護フィルム１１に位置決めされてもよく、また、それの全部において粘着剤を介して第１保護フィルム１１に位置決めされてもよい。さらに、複数のスペーサ１２には、それの一部において粘着剤を介して第１保護フィルム１１に位置決めされるスペーサ１２と、それの全部において粘着剤を介して第１保護フィルム１１に位置決めされるスペーサ１２とが含まれてもよい。
【００６３】
・スペーサ１２は、それの一部において粘着剤を介して第２保護フィルム２１に位置決めされてもよく、また、それの全部において粘着剤を介して第２保護フィルム２１に位置決めされてもよい。さらに、複数のスペーサ１２には、それの一部において粘着剤を介して第２保護フィルム２１に位置決めされるスペーサ１２と、それの全部において粘着剤を介して第２保護フィルム２１に位置決めされるスペーサ１２とが含まれてもよい。
【００６４】
・スペーサ１２と光学部品３１とは、互いに接触していてもよいし、互いに離れていてもよい。また、複数のスペーサ１２には、光学部品３１に接触するスペーサ１２と、光学部品３１から離れたスペーサ１２とが、複数のスペーサ１２に含まれてもよい。
【符号の説明】
【００６５】
１１…第１保護フィルム、１２…スペーサ、１２Ａ…挟持部、１２Ｔ，２１Ｔ…貼り合せ部、１２Ｈ…スペーサ厚さ、２１…第２保護フィルム、３１…光学部品、３１Ｈ…部品厚さ。
【図１】
2016141473.tif 000003
【図２】
2016141473.tif 000004